(57)【特許請求の範囲】
【請求項１】
バーナーが収容されたケース本体と、
カセットボンベを収容するためのボンベ収容部と、を備え、
前記ケース本体の上面に前記バーナーの燃焼部が露出し、
前記ケース本体の側部に前記ボンベ収容部が設けられているカセットコンロであって、
前記ボンベ収容部から前記バーナーに通じる供給管と、
前記供給管に設けられた開閉弁と、を有し、
前記燃焼部と前記ボンベ収容部との間には、前記ケース本体の上面に対して傾動自在なガード部材が設けられ、
前記ガード部材は、前記開閉弁の操作部に連結されており、
前記ガード部材を倒したときには、前記ガード部材が前記ボンベ収容部の上面よりも低くなるとともに、前記開閉弁が閉じた状態となり、
前記ガード部材を起こしたときには、前記ガード部材が前記ボンベ収容部の上面よりも上方に突出するとともに、前記開閉弁が開いた状態になることを特徴とするカセットコンロ。
【請求項２】
前記ガード部材は、前記ボンベ収容部の長手方向に傾動自在であることを特徴とする請求項１に記載のカセットコンロ。
【請求項３】
前記ガード部材は、前記ボンベ収容部の長手方向に直交する方向に傾動自在であることを特徴とする請求項１に記載のカセットコンロ。
【発明の詳細な説明】
【技術分野】
【０００１】
本発明は、カセットコンロに関する。
【背景技術】
【０００２】
屋内の卓上や野外で使用されるカセットコンロは、ケース本体の側部にボンベ収容部が設けられており、ケース本体の上面にバーナーの燃焼部が露出している。このようなカセットコンロでは、ボンベ収容部に収容したカセットボンベからバーナーに可燃性ガスが供給され、燃焼部でガスを燃焼するように構成されている。
【０００３】
前記したカセットコンロを使用するときに、調理用の鉄板がボンベ収容部の上方に張り出していると、燃焼部の燃焼による熱によってボンベ収容部が高温になり、カセットボンベが破損する可能性がある。
【０００４】
そこで、従来のカセットコンロとしては、燃焼部とボンベ収容部との間に門形のガード部材を立設させ、鉄板がガード部材よりもボンベ収容部側に張り出さないように構成されているものがある（例えば、特許文献１参照）。
【先行技術文献】
【特許文献】
【０００５】
【特許文献１】意匠登録第１５２１５８７号公報
【発明の概要】
【発明が解決しようとする課題】
【０００６】
前記した従来のカセットコンロでは、ガード部材の高さを大きくすることで、鉄板がボンベ収容部側に張り出すのを確実に防ぐことができる。しかしながら、ガード部材の高さを大きくすると、カセットコンロを収納するときや持ち運ぶときに、ガード部材が他の部材に干渉し易くなるという問題がある。
【０００７】
本発明は、前記した問題を解決し、鉄板や鍋がボンベ収容部側に張り出すのを防ぐとともに、使用していないときにはガード部材をコンパクトに収容することができるカセットコンロを提供することを課題とする。
【課題を解決するための手段】
【０００８】
前記課題を解決するため、本発明は、バーナーが収容されたケース本体と、カセットボンベを収容するためのボンベ収容部と、を備え、前記ケース本体の上面に前記バーナーの燃焼部が露出し、前記ケース本体の側部に前記ボンベ収容部が設けられているカセットコンロである。前記ボンベ収容部から前記バーナーに通じる供給管と、前記供給管に設けられた開閉弁と、を有している。前記燃焼部と前記ボンベ収容部との間には、前記ケース本体の上面に対して傾動自在なガード部材が設けられている。前記ガード部材は、前記開閉弁の操作部に連結されている。前記ガード部材を倒したときには、前記ガード部材が前記ボンベ収容部の上面よりも低くなるとともに、前記開閉弁が閉じた状態となる。また、前記ガード部材を起こしたときには、前記ガード部材が前記ボンベ収容部の上面よりも上方に突出するとともに、前記開閉弁が開いた状態になる。
【０００９】
本発明のカセットコンロでは、ガード部材が倒れているときは開閉弁が閉じているため、燃焼部でガスを燃焼させることができない。すなわち、本発明のカセットコンロでは、ガード部材を起こして、燃焼部とボンベ収容部との間にガード部材を立てないと、燃焼部でガスを燃焼させることができない。したがって、本発明のカセットコンロでは、使用時に鉄板や鍋はガード部材よりも燃焼部側に必ず配置されるため、鉄板や鍋がボンベ収容部側に張り出すのを確実に防ぐことができる。
【００１０】
また、本発明のカセットコンロでは、ガード部材の高さを大きくすることで、鉄板や鍋がボンベ収容部側に張り出すのを確実に防ぎつつ、カセットコンロを使用しないときには、ガード部材を倒してコンパクトに収容することができる。
【００１１】
前記したカセットコンロにおいて、前記ガード部材が前記ボンベ収容部の長手方向に傾動自在である場合には、ガード部材を倒したときに、ガード部材を燃焼部とボンベ収容部との間に収容することができる。
【００１２】
前記したカセットコンロにおいて、前記ガード部材が前記ボンベ収容部の長手方向に直交する方向に傾動自在であるように構成してもよい。この構成では、ガード部材を倒したときに、ガード部材が燃焼部側に倒れるため、カセットコンロを使用するときには、必然的にガード部材を起こすことになる。
【発明の効果】
【００１３】
本発明のカセットコンロでは、使用時に鉄板や鍋はガード部材よりも燃焼部側に必ず配置されるため、鉄板や鍋がボンベ収容部側に張り出すのを確実に防ぐことができ、使用時の安全性を高めることができる。
また、本発明のカセットコンロでは、ガード部材の高さを大きくすることで、鉄板や鍋がボンベ収容部側に張り出すのを確実に防ぎつつ、カセットコンロを使用しないときには、ガード部材を倒してコンパクトに収容することができる。
【図面の簡単な説明】
【００１４】
【図１】本発明の実施形態に係るカセットコンロを示した図で、（ａ）は平面図、（ｂ）は側面図である。
【図２】本発明の実施形態に係るカセットコンロを示した図で、（ａ）は図１（ａ）のＡ−Ａ断面図、（ｂ）はガード部材を起こした状態の断面図である。
【図３】本発明の他の実施形態に係るカセットコンロを示した図で、（ａ）は平面図、（ｂ）は側面図である。
【発明を実施するための形態】
【００１５】
本発明の実施形態について、適宜図面を参照しながら詳細に説明する。
なお、各実施形態の説明において、同一の構成要素に関しては同一の符号を付し、重複した説明は省略するものとする。
【００１６】
本実施形態のカセットコンロ１は、図１（ａ）に示すように、屋内の卓上や野外で調理用の鉄板や鍋などの対象物を加熱するための調理用加熱器である。
カセットコンロ１は、バーナー３０が収容されたケース本体１０と、カセットボンベＢを収容するためのボンベ収容部２０と、を備え、ケース本体１０の右側部にボンベ収容部２０が設けられている。
【００１７】
ケース本体１０は、金属製の箱体であり（図１（ｂ）参照）、平面視で四角形に形成されている。ケース本体１０の上面１０ａには、円形の開口部１１が形成されている。
また、ケース本体１０の上面１０ａには、開口部１１の周囲に四個のゴトク１２が立設されている。四個のゴトク１２は、鉄板Ｐ（図１（ｂ）参照）や鍋を支持する部位であり、開口部１１の周方向に等間隔に配置されている。
【００１８】
バーナー３０は、可燃性ガスを燃焼させる燃焼装置であり、ケース本体１０の内部に収容されている。
バーナー３０は、ガスを燃焼させる燃焼部３１と、燃焼部３１にガスを供給するための鋼管３２と、を有している。
【００１９】
燃焼部３１の頂部３１ａは、ケース本体１０の開口部１１を通じてケース本体１０の上面１０ａに露出している。
燃焼部３１の頂部３１ａの外周部には、複数の火口が形成されている。また、燃焼部３１の頂部３１ａの周囲には着火装置が設けられている。
燃焼部３１の内部には、燃焼部３１の下端部から火口に通じるガス流路が形成されている。
【００２０】
鋼管３２は円筒状の部材である。鋼管３２の先端部は燃焼部３１の下端部に連結されている。鋼管３２は燃焼部３１から右方に向けて延びている。
鋼管３２の内部にはガス流路が形成されており、鋼管３２のガス流路は燃焼部３１のガス流路に連通している。
【００２１】
ボンベ収容部２０は、ケース本体１０の右側部に形成された箱状の部位であり（図１（ｂ）参照）、カセットボンベＢを収容するための内部空間が形成されている。
ボンベ収容部２０は、図１（ｂ）に示すように、ケース本体１０の上面１０ａよりも上方に突出している。ボンベ収容部２０の上蓋２０ａは、左右方向に開閉自在である。そして、ボンベ収容部２０の上蓋２０ａを開けることで、ボンベ収容部２０の内部空間にカセットボンベＢ（図１（ａ）参照）を出し入れすることができる。
【００２２】
カセットボンベＢは、図１（ａ）に示すように、円筒状の金属缶であり、可燃性ガスが封入されている。カセットボンベＢの一端にはノズル（図示せず）が突出している。
カセットボンベＢのノズルは、ボンベ収容部２０の内部に設けられたガス供給部４０の差込口に差し込まれる。
【００２３】
ケース本体１０の内部には、ガス供給部４０からバーナー３０に通じる供給管６０が設けられている。供給管６０は、バーナー３０とボンベ収容部２０との間で、ボンベ収容部２０に沿って前後方向に延びている。
供給管６０の前端部は、ガス供給部４０の左側面に連結されている。そして、カセットボンベＢ内のガスは、ガス供給部４０を通じて供給管６０に供給される。
供給管６０の後端部は、バーナー３０の鋼管３２の基端部に連結されており、供給管６０から鋼管３２の流路にガスが供給される。
【００２４】
ボンベ収容部２０の前面２０ｂには、図１（ｂ）に示すように、円板状のダイヤル５０が取り付けられている。ダイヤル５０は、ボンベ収容部２０に対して回転自在に取り付けられている。
ダイヤル５０の前面には、板状の突起部５１が形成されている。また、ダイヤル５０の後面には、図１（ａ）に示すように、取付軸５２が突出している。取付軸５２はガス供給部４０に連結されている。
本実施形態では、ダイヤル５０を回転させることで、カセットボンベＢから供給管６０に供給されるガス量を調整するとともに、バーナー３０の着火装置を作動させることができる。
【００２５】
供給管６０の前後方向の中間部には、開閉弁７０が設けられている。開閉弁７０が開いた状態では、供給管６０のガス供給部４０側とバーナー３０側とが連通する。また、開閉弁７０が閉じた状態では、供給管６０のガス供給部４０側とバーナー３０側とが遮断される。
図２（ａ）に示すように、開閉弁７０は、ケース本体１０の内部の底面に取り付けられたブラケット７０ａの上面に取り付けられている。
なお、開閉弁７０の構造は限定されるものではなく、機械式や電磁式など各種の弁構造を用いることができる。
本実施形態の開閉弁７０の右側面には、図１（ａ）に示すように、操作部７１が突出している。操作部７１を軸回りに回転させることで、開閉弁７０の開閉状態を切り替えることができる。
【００２６】
ケース本体１０の上面１０ａには、燃焼部３１とボンベ収容部２０との間にガード部材８０が設けられている。ガード部材８０は、金属製の細長い板状の部材である。
ガード部材８０は、ボンベ収容部２０の左側面に沿って前後方向に延びている。図２（ａ）に示すように、ガード部材８０の基端部（後端部）は、下方に向けて折り曲げられている。
【００２７】
ケース本体１０の上面１０ａには、図１（ａ）に示すように、燃焼部３１とボンベ収容部２０との間に貫通穴１５が形成されている。貫通穴１５は、前後方向に細長い長方形に形成されている。貫通穴１５は、ケース本体１０の前後方向の中間部に配置されている。
【００２８】
ガード部材８０の基端部は、図２（ａ）に示すように、貫通穴１５を通じてケース本体１０の内部に挿入されている。また、ガード部材８０の基端部は、開閉弁７０の操作部７１に連結されている。
ガード部材８０は、操作部７１を回転軸として前後方向に傾動自在である（図２（ｂ）参照）。このように、ガード部材８０は、ケース本体１０の上面１０ａに対してボンベ収容部２０の長手方向（前後方向）に傾動自在である。
本実施形態のガード部材８０は、水平に倒した状態（図２（ａ）の状態）と、垂直に起こした状態（図２（ｂ）参照）との間の約９０度の範囲を傾動することができる。
【００２９】
本実施形態では、ガード部材８０を倒した状態では、ガード部材８０は、供給管６０およびボンベ収容部２０に沿って配置される。この状態では、ガード部材８０はボンベ収容部２０の上面よりも低く配置される。
また、図２（ｂ）に示すように、ガード部材８０を垂直に起こしたときに、ガード部材８０の先端部（上端部）がボンベ収容部２０の上面よりも上方に突出するように、ガード部材８０の長さが設定されている。
【００３０】
図２（ａ）に示すように、ガード部材８０が倒れているときには、開閉弁７０は閉じている。そして、図２（ｂ）に示すように、ガード部材８０を起こすと、ガード部材８０に連動して開閉弁７０の操作部７１が回転し、開閉弁７０が開いた状態となる。
【００３１】
本実施形態のカセットコンロ１を使用する場合には、図１（ｂ）に示すように、ガード部材８０を倒した状態で持ち運び、カセットコンロ１を卓上などに設置する。このとき、開閉弁７０は閉じられているため、ダイヤル５０を操作したとしても、カセットボンベＢからバーナー３０にガスが供給されない。
【００３２】
カセットコンロ１を設置した後に、図２（ｂ）に示すように、ガード部材８０を起こして、ガード部材８０をボンベ収容部２０の上面よりも上方に突出させる。これにより、開閉弁７０が開いた状態となる。
【００３３】
その後、使用者は、図１（ｂ）に示すように、燃焼部３１とボンベ収容部３２との間に立てられたガード部材８０よりも燃焼部３１側（左側）で、鉄板Ｐを各ゴトク１２に載せることになる。このように、鉄板Ｐは、ガード部材８０よりも燃焼部３１側に必ず配置されるため、鉄板Ｐがボンベ収容部２０の上方に張り出すことはない。
この状態でダイヤル５０を回転させ、カセットボンベＢからバーナー３０にガスを供給するとともに、燃焼部３１でガスに着火してガスを燃焼させる。
【００３４】
カセットコンロ１の使用後は、図２（ａ）に示すように、ガード部材８０を倒して、ガード部材８０をボンベ収容部２０の上面よりも低くする。
このように、ガード部材８０を燃焼部３１とボンベ収容部２０との間に収容した状態で、カセットコンロ１を持ち運んで箱などに収納する。
【００３５】
以上のような本実施形態のカセットコンロ１では、図１（ｂ）に示すように、ガード部材８０を倒しているときには、開閉弁７０が閉じているため、燃焼部３１でガスを燃焼させることができない。すなわち、カセットコンロ１では、図２（ｂ）に示すように、ガード部材８０を起こして、燃焼部３１とボンベ収容部２０との間にガード部材８０を立てないと、燃焼部３１でガスを燃焼させることができない。
したがって、本実施形態のカセットコンロ１では、使用時に鉄板Ｐや鍋はガード部材８０よりも燃焼部３１側に必ず配置されるため、鉄板Ｐや鍋がボンベ収容部２０側に張り出すのを確実に防ぐことができ、使用時の安全性を高めることができる。
【００３６】
また、本実施形態のカセットコンロ１では、ガード部材８０の高さを大きくすることで、鉄板Ｐがボンベ収容部２０側に張り出すのを確実に防ぎつつ、カセットコンロ１を使用しないときには、図２（ａ）に示すように、ガード部材８０を倒してコンパクトに収容することができる。
さらに、カセットコンロ１では、ガード部材８０がボンベ収容部２０の長手方向に傾動自在であるため、ガード部材８０を倒したときに、ガード部材８０を燃焼部３１とボンベ収容部２０との間にコンパクトに収容することができる。
【００３７】
以上、本発明の実施形態について説明したが、本発明は前記実施形態に限定されることなく、その趣旨を逸脱しない範囲で適宜に変更が可能である。
例えば、図３（ｂ）に示すように、平板状のガード部材８０Ａがボンベ収容部２０の長手方向に直交する方向（左右方向）に傾動するように構成してもよい。
ガード部材８０Ａは、図３（ａ）に示すように、下縁部の前後両端部が、ケース本体１０の前面および後面に回転自在に支持されている。そして、ガード部材８０Ａの下縁部の前端部が開閉弁７０の操作部７１に連結されている。
【００３８】
この構成では、図３（ｂ）に示すように、ガード部材８０Ａは燃焼部３１側に倒れるため、ガード部材８０Ａが燃焼部３１を覆うことになる。したがって、カセットコンロ１を使用するときには、必然的にガード部材８０Ａを起こすことになる。
【００３９】
本実施形態では、ガード部材８０，８０Ａ（図２および図３参照）が細長い板状や平板状に形成されているが、ガード部材８０，８０Ａの形状は限定されるものではない。例えば、平板状のガード部材に通風用の開口を形成してもよい。
また、ガード部材８０をケース本体１０に対して傾動自在に取り付ける構造も限定されるものではなく、例えば、蝶番を用いてガード部材８０をケース本体１０の上面１０ａに取り付けてもよい。
【符号の説明】
【００４０】
１      カセットコンロ
１０    ケース本体
１１    開口部
１２    ゴトク
１５    貫通穴
２０    ボンベ収容部
３０    バーナー
３１    燃焼部
３１ａ  頂部
３２    鋼管
４０    ガス供給部
５０    ダイヤル
６０    供給管
７０    開閉弁
７１    操作部
８０    ガード部材
Ｂ      カセットボンベ
Ｐ      鉄板
【要約】
【課題】鍋や鉄板がボンベ収容部側に張り出すのを防ぐとともに、使用していないときにはガード部材をコンパクトに収容することができるカセットコンロを提供する。
【解決手段】ケース本体１０の上面１０ａにバーナー３０の燃焼部３２が露出し、ケース本体１０の側部にボンベ収容部２０が設けられているカセットコンロ１である。ボンベ収容部２０からバーナー３０に通じる供給管６０と、供給管６０に設けられた開閉弁７０と、を有している。燃焼部３２とボンベ収容部２０との間に傾動自在なガード部材８０が設けられている。ガード部材８０は、開閉弁７０の操作部７１に連結されており、ガード部材８０を倒したときに開閉弁７０が閉じた状態となり、ガード部材８０を起こしたときに開閉弁７０が開いた状態になる。
【選択図】図１【図１】
0005989211.tif 000002
【図２】
0005989211.tif 000003
【図３】
0005989211.tif 000004